(57)【特許請求の範囲】
【請求項１】
複数枚のインクジェット記録用紙が収納される収納室と取っ手を有する外装箱内に、外装箱の取っ手に対応する位置に外装箱の取っ手の形状とほぼ同一形状の開口部を有する個装箱用台紙を備え、個装箱用台紙の幅が外装箱の幅とほぼ等しく、且つ当該開口部が、台紙先端部に形成された断面矩形状の筒状長尺部または断面Ｕ字状の樋状長尺部の相対する辺に設けられていることを特徴とする個装箱。
【請求項２】
前記外装箱の取っ手が、切り起こしにより形成されるものである、請求項１に記載の個装箱。
【請求項３】
前記外装箱が、上面、表側面、裏側面、両側面、底面からなり、該表側面が、上表側面と下表側面からなり、該上表側面と該裏側面の上面近くに取っ手が形成されているものである、請求項１に記載の個装箱。
【請求項４】
前記外装箱が、一端に取っ手が形成されている裏側面と、該裏側面の周囲に延設して設けられ、起立されて上面、底面、両側面を形成する部分と、該上面、底面の更に外側に延設して設けられ、起立されて一端に取っ手部が形成されている上表側面と下表側面とを形成する部分とからなるシート材で組み立てられるものであって、該裏側面と該上表側面とに形成されている取っ手が該上面近くに形成されているものである、請求項１に記載の個装箱。
【請求項５】
前記シート材が、段ボールからなる、請求項４に記載の個装箱。
【発明の詳細な説明】
【０００１】
【発明の属する技術分野】
本発明は、インクジェット記録用紙のようなシート状物を収納し、持ち運びに便利な個装箱、及びシート状物を個装箱に収納する際に使用し、個装箱の取っ手の補強に好適な個装箱用台紙に関する。
【０００２】
【従来の技術】
従来、印刷前又は印刷後のＡ２サイズより大きめのインクジェット記録用紙等のシート状物を複数枚持ち運びする場合には、取っ手の設けられた直方体形状の段ボール製個装箱を使用していた。
【０００３】
【発明が解決しようとする課題】
しかしながら、インクジェット記録用紙等のシート状物の枚数が多くなるにつれて全体としてかなりの重量となるため、持ち運びの途中で取っ手が破損し、持ち運びが困難になるばかりか、インクジェット記録用紙等のシート状物自体が個装箱から落ちて汚れてしまうなどの問題があった。
また、個装箱の持ち運びをする際に、取っ手のところからゴミなどが入ってしまいインクジェット記録用紙等のシート状物を汚してしまうという問題もあっ
た。
【０００４】
そこで、本発明は、上記の問題点を解消するためになされたものであって、その第１の目的とするところは、かなりの重量のシート状物を収納した個装箱の持ち運びの途中で取っ手が破損したりしない個装箱を提供すること、更に第２の目的とするところは、取っ手のところからゴミなどが入ってシート状物を汚してしまうことのない個装箱を提供することである。
【０００５】
【課題を解決するための手段】
シート状物を個装箱に収納する際に使用する個装箱用台紙の先端部に外装箱の取っ手に対応する位置に外装箱の取っ手の形状とほぼ同一形状の開口部を設けることにより上記の第１の目的を達成し、更には、個装箱用台紙の先端部に断面矩形状の筒状長尺部又は断面Ｕ字状の樋状長尺部を設け、その相対する辺であって、外装箱の取っ手に対応する位置に外装箱の取っ手の形状とほぼ同一形状の開口部を形成することにより、前記の第１、第２の目的を達成するものである。
【０００６】
即ち、本発明に係る個装箱用台紙は、外装箱の取っ手に対応する位置に外装箱の取っ手の形状とほぼ同一形状の開口部を有することを特徴とする。
【０００７】
また、本発明に係る個装箱用台紙は、前記開口部が、台紙先端部に形成された断面矩形状の筒状長尺部又は断面Ｕ字状の樋状長尺部の相対する辺に形成されていることを特徴とする。
【０００８】
また、本発明に係る個装箱は、複数枚のシート状物を収納する収納室と取っ手を有する外装箱内に、外装箱の取っ手に対応する位置に外装箱の取っ手の形状とほぼ同一形状の開口部を有する個装箱用台紙を備えたことを特徴とする。
【０００９】
また、本発明に係る個装箱は、前記個装箱用台紙に形成されている開口部が、台紙先端部に形成された断面矩形状の筒状長尺部又は断面Ｕ字状の樋状長尺部の相対する辺に設けられていることを特徴とする。
【００１０】
また、本発明に係る個装箱は、前記外装箱が、一端に取っ手が形成されている裏側面と、該裏側面の周囲に延設して設けられ、起立されて上面、底面、両側面を形成する部分と、該上面、底面の更に外側に延設して設けられ、起立されて一端に取っ手が形成されている上表側面と下表側面とを形成する部分とからなるシート材で組み立てられるものであって、該裏側面と該上表側面とに形成されている取っ手が該上面近くに形成されているものであることを特徴とする。
【００１１】
【発明の実施の形態】
本発明は、記録用紙のようなシート状物を収納し、持ち運びに便利な個装箱であり、シート状物としては、Ａ２サイズより大きめのインクジェット記録用紙（記録されているものかどうかを問わず）が好適なものとして挙げられるが、大きさ、厚さ、材質等によって限定されるものではなく、シート状のものであれば、どのような大きさのものでも良く、また、材質も紙製のもの、プラスチック製のもの、場合によっては薄い木質製のものでも良い。個装箱は一枚のシート材から形成されて良く、その材質についても特に限定されるものではないが、紙質のもの、特に段ボールが好ましい。
【００１２】
以下において、図面を参照して本発明について詳細に説明する。
図１は、本発明の個装箱の斜視図である。個装箱は、外装箱１と個装箱用台紙とからなり、薄厚の直方体の形状をしている。また、必要に応じ、収納する記録用紙を保護するための保護紙を備えることもできる。外装箱１は、上面１１、表側面１２、裏側面１３、側面１４Ａ，１４Ｂ、底面１５からなり、表側面１２は、上表側面１２Ａと下表側面１２Ｂとからなっている。
外装箱１は、シート状物を収納する前の状態では、上表側面１２Ａと上面１１は、両側面１４Ａ，１４Ｂに固定されることなく、裏側面１３と上面１１との境の折れ線Ｘ−Ｘを回動の中心として上方に展開され、開放状態となりうるものであり、その開放状態でシート状物が収納され、その後上表側面１２Ａと上面１１は、折り曲げられ、図１の閉じた状態とされ、両側面１４Ａ，１４Ｂに固着されて持ち運びが可能な状態とされる。
上表側面１２Ａと上面１１の両側面１４Ａ，１４Ｂへの固着は、側面１４Ａ，１４Ｂに設けられる糊代に接着剤で固着されても良いし、上表側面１２Ａと上面１１が側面１４Ａ，１４Ｂに設けられる糊代に接した状態で外部から接着テープ等によって固定されても良い。
【００１３】
図７に外装箱１の展開図を示す。外装箱１は、取っ手１６が形成された裏側面１３の周囲に上面１１、側面１４Ａ，１４Ｂ、底面１５が延設され、上面１１と底面１５の更に外側にそれぞれ上表側面１２Ａと下表側面１２Ｂが延設されている。側面１４Ａ，１４Ｂの外側には糊代１７，１７が延設されても良い。
また、上表側面１２Ａと下表側面１２Ｂの両側には、側面１４Ａ，１４Ｂに接着固定されるため又は側面１４Ａ，１４Ｂに重ねてステープル又は接着テープなどにより固定されるための接合面１４Ａ’，１４Ｂ’が延設されても良い。さらに、必要に応じ、該接合面１４Ａ’，１４Ｂ’の外側には糊代１７’，１７’が延設されても良い。
取っ手１６は、上表側面１２Ａと裏側面１３の中央上面１１近くに設けられ、段ボール箱等に形成されている取っ手の形、大きさ、形成状態などと同様のもので良く、特に特定されるものではない。例えば、長方形、長方形の４隅の角を取り丸みを持たせたもの、細長い楕円形等の形状で良く、その大きさも、大人の手が入る程度の大きさであれば良い。また、取っ手の形成状態は、完全にくり貫き開口した状態、上辺部分を除き切れ目を入れ切り起こしが可能な状態等とすることもできる。又、取っ手は、２カ所以上の場所に設けられても良い。
上表側面１２Ａと下表側面１２Ｂの幅の比Ｌ１：Ｌ２は、特に特定されるものではないが、１：１であることが好ましい。
外装箱１は、図面に示されている折れ線（点線）に沿って曲げ立上げることにより組み立てられる。上表側面１２Ａの外側に設けられた接合面１４Ａ’，１４Ｂ’及び必要に応じて設けられた糊代１７’，１７’の部分を除いて接着剤、ステープル又は接着テープなどにより固定される。このようにして、記録用紙を収納できる状態の外装箱１ができあがる。
【００１４】
図２は、図１のＡ−Ａ切断面図であり、外装箱１の中に外装箱１の取っ手１６に対応する位置に開口部１８を有する個装箱用台紙２と保護紙３とが記録用紙４を挟んで配置されている状態を示している。
図３は、個装箱用台紙２の正面図であり、図４は、図３のＢ−Ｂ切断面図である。図３、図４の記載から明らかなように、個装箱用台紙２の先端部には断面矩形状の筒状長尺部が形成されており、その筒状長尺部の相対する辺には外装箱１の取っ手１６に対応する位置に外装箱１の取っ手１６の形状とほぼ同一形状の開口部１８，１８が形成されている。
【００１５】
図５は、他の個装箱用台紙２の切断面図であり、図４に記載されているような断面矩形状の筒状長尺部の代わりに、個装箱用台紙２の先端部には断面Ｕ字状の樋状長尺部が形成されており、その断面Ｕ字状の樋状長尺部の相対する辺には外装箱１の取っ手１６に対応する位置に外装箱１の取っ手１６の形状とほぼ同一形状の開口部１８，１８が設けられている。
【００１６】
図６は、さらに他の個装箱用台紙２の正面図であり、図４に記載されているような断面矩形状の筒状長尺部または図５に記載されているような断面Ｕ字状の樋状長尺部を、図３に記載されているように個装箱用台紙２の幅一杯に設ける代わりに、外装箱１の取っ手１６の形状とほぼ同一形状の開口部１８，１８が形成されている付近のみに形成することもできる。個装箱用台紙２自身の幅は、記録用紙４を外装箱１に入れる際に記録用紙４を乗せ、記録用紙４の全面を保持するため又は持ち運びの際に記録用紙４の全面を保護できるように外装箱１の幅とほぼ等しいことが好ましいが、勿論、外装箱１の幅より短くても良い。
【００１７】
また、本発明の個装箱は、図示していないが、保護紙３を用いずに、断面矩形状の筒状長尺部または断面Ｕ字状の樋状長尺部を有せず、先端に外装箱１の取っ手１６に対応する位置に外装箱１の取っ手１６の形状とほぼ同一形状の開口部１８のみを有する個装箱用台紙２を２枚備えることもできる。
更に、少なくとも一方の個装箱用台紙２に、その開口部１８より下の位置に長方形の厚紙を植設し、上記断面矩形状の筒状長尺部または断面Ｕ字状の樋状長尺部の底辺部のみを設けた状態とすることもできる。
【００１８】
本発明においては、図４に記載されているような断面矩形状の筒状長尺部または図５に記載されているような断面Ｕ字状の樋状長尺部を個装箱用台紙２の先端部に設け、それらの相対する辺には外装箱１の取っ手１６に対応する位置に外装箱１の取っ手１６の形状とほぼ同一形状の開口部１８，１８を設けることによって、そのような個装箱用台紙２を備えた個装箱は、外装箱１の取っ手１６の補強が可能となり、Ａ２サイズより大きめのインクジェット記録用紙のような、大型の記録用紙を複数枚収容し持ち運ぶ際に、取っ手１６の破損の恐れがなくなるとともに、外装箱１の取っ手１６の部分からゴミなどが入ったとしても、筒状長尺部または樋状長尺部にゴミなどが捕えられ、記録用紙収容部にゴミなどが入るのが防止され、記録用紙が汚れたりすることが防がれる。
また、個装箱用台紙２の先端部に筒状長尺部または樋状長尺部が存在することによって、その低部で記録用紙の移動が阻止されることにより、持ち運びが楽になるとともに記録用紙自体のいたみもなくなる。
また、本発明の個装箱は、保護紙３を備えることにより、記録用紙の出し入れの際、持ち運びの際に記録用紙の保護が可能となる。
【００１９】
【発明の効果】
本発明は、以上詳記したとおり、個装箱用台紙として、その先端部に断面矩形状の筒状長尺部または断面Ｕ字状の樋状長尺部を有し、それらの相対する辺に外装箱の取っ手に対応する位置で外装箱の取っ手の形状とほぼ同一形状の開口部を設けたものを個装箱に備えることにより、大型の記録用紙を複数枚収容し持ち運ぶ際に、取っ手の破損の恐れがなくなるとともに、外装箱の取っ手の部分からゴミなどが入ったとしても、筒状長尺部又は樋状長尺部にゴミなどが捕えられ、記録用紙収容部にゴミなどが入るのが防止され、記録用紙が汚れたりすることが防がれる。
また、個装箱用台紙の先端部に筒状長尺部または樋状長尺部が存在することによって、その低部で記録用紙の移動が阻止されることにより、持ち運びが楽になるとともに記録用紙自体のいたみもなくなる等の優れた効果を奏する。
【図面の簡単な説明】
【図１】本発明の個装箱の斜視図である。
【図２】図１のＡ−Ａ切断面図である。
【図３】本発明の個装箱用台紙の正面図である。
【図４】図３のＢ−Ｂ切断面図である。
【図５】本発明の他の個装箱用台紙の切断面図である。
【図６】本発明の更に他の個装箱用台紙の正面図である。
【図７】本発明の外装箱の展開図である。
【符号の説明】
１      外装箱
２      個装箱用台紙
３      保護紙
４      記録用紙
１１    上面
１２Ａ  上表側面
１２Ｂ  下表側面
１３    裏側面
１４Ａ  側面
１４Ｂ  側面
１５    底面
１６    取っ手
１７    糊代
１８    開口部
【図１】
0003937709.tif 000002
【図２】
0003937709.tif 000003
【図３】
0003937709.tif 000004
【図４】
0003937709.tif 000005
【図５】
0003937709.tif 000006
【図６】
0003937709.tif 000007
【図７】
0003937709.tif 000008